(57)【要約】【課題】本発明は、店舗毎に商品の仕分けを行う仕分けプログラムに関し、店舗毎の無線端末を仕分け箱に取り付けて商品仕分け情報を表示して簡易かつ確実に商品の仕分けを行って配送することを目的とする。【解決手段】仕分け箱に取り付けられた、店舗ＩＤおよび端末ＩＤの書き込まれた無線端末の画面上に店舗名を表示する店舗表示手順と、仕分け対象の商品指定に対応してシステムから送信された仕分けする商品情報を前記無線端末が受信して画面上に商品情報を表示する商品情報表示手順と、画面上に表示した商品情報をもとに商品が仕分け箱に投入されて該当ボタンがタッチされたときに商品仕分けされた旨を前記システムに送信して仕分け済みと登録させる登録手順と、仕分け完了指示に対応して仕分け情報を画面上に表示する仕分け情報表示手順とを有する仕分けプログラムである。【選択図】  図１
2005022815.tif 000002
【特許請求の範囲】
【請求項１】
店舗毎に商品の仕分けを行う仕分けプログラムにおいて、
コンピュータに、
仕分け箱に取り付けられた、店舗ＩＤおよび端末ＩＤの書き込まれた無線端末の画面上に店舗名を表示する店舗表示手順と、
仕分け対象の商品指定に対応してシステムから送信された仕分けする商品情報を前記無線端末が受信して画面上に商品情報を表示する商品情報表示手順と、
前記画面上に表示した商品情報をもとに商品が仕分け箱に投入されて該当ボタンがタッチされたときに商品仕分けされた旨を前記システムに送信して仕分け済みと登録させる登録手順と、
仕分け完了指示に対応して仕分け情報を画面上に表示する仕分け情報表示手順と
を実行させるための仕分けプログラム。
【請求項２】
前記無線端末の画面上に表示された商品情報の一部あるいは全部が欠品のときに欠品情報を前記システムに送信して登録させる欠品情報登録手順を有する請求項１記載の仕分けプログラム。
【請求項３】
前記仕分け対象の商品が前記仕分け箱に入りきらないときに該当ボタンが押下されたときに、箱数増加を前記システムに送信して登録させると共に、画面上に箱数を加算した後の箱数を表示する箱数表示手順を有する請求項１記載の仕分けプログラム。
【請求項４】
前記無線端末の取り付けられた仕分け箱が配送のための積み込みを完了あるいは積み込み直前に当該無線端末の積み込み完了ボタンが押下されたときに、前記システムに積み込み完了を送信して登録させる積込完了登録手順を有する請求項１記載の仕分けプログラム。
【請求項５】
前記無線端末の予備機の修復ボタンが押下されたときに、全ての無線端末にポーリングして、あるいは前記システムに依頼してポーリングさせて、応答が無い無線端末があったときに当該応答の無い無線端末の店舗ＩＤおよび端末ＩＤを予備機の無線端末に書き込むと共に画面上に店舗名を表示する手順を有する請求項１から請求項４のいずれかに記載の仕分けプログラム。
【発明の詳細な説明】
【０００１】
【発明の属する技術分野】
本発明は、店舗毎に商品の仕分けを行う仕分けプログラムに関するものである。
【０００２】
【従来の技術】
従来、流通センタや問屋などで多数の商品を店舗毎に仕分けする場合、店舗毎の仕分け棚（ピッキング場の区分）にマルチ表示器を固定的に設置して当該マルチ表示器の指示に従い商品を仕分け（仕分け棚に入れて仕分け）することが行われている（特許文献１）
また、ハンディタイプの端末を持ち運び、出荷指示書をホストコンピュータから受信して商品のピッキングすることが行われている（特許文献２）。
【０００３】
【特許文献１】
特開平６ー１４１０号公報の〔０００４〕、〔０００５〕および図２など参照。
【０００４】
【特許文献２】
特開平４ー１２９９０２号公報の特許請求の範囲および第１図、第２図などを参照。
【０００５】
【発明が解決しようとする課題】
しかし、上述した前者の技術では、仕分け棚（ピッキング場の区分）を固定的に設けてしかもマルチ表示器をそれぞれ設定する必要があり、設備が大変であると共に、仕分け棚に仕分けたした商品が入りきらないときに当該仕分け棚を増設し難いなどの融通性に欠けるという問題もあった。
【０００６】
また、上述した後者の技術では、ハンディ端末に店舗毎の出荷指示書を受信して表示させ、仕分けた商品を該当する仕分け棚（仕分け箱）に入れる必要があり、商品を入れる仕分け棚（仕分け箱）が特定されず、その管理に間違いが生じやすいなどの問題があった。
【０００７】
本発明は、これらの問題を解決するため、無線端末に店舗ＩＤ、端末ＩＤを書き込んで仕分け箱に着脱可能に取り付け、作業端末から商品の仕分け指示すると無線端末の画面上に商品情報を表示し、これに従い商品の仕分けを行うと共に画面をタッチすることで仕分け済みをシステム登録することを繰り返し、商品仕分け完了指示すると無線端末の画面上に仕分け完了情報を表示し、更に、無線端末の画面上で配送のための積み込み完了指示するとその旨をシステム登録し、店舗毎の無線端末を仕分け箱に取り付けて商品仕分け情報を表示して簡易かつ確実に商品の仕分けを行って配送することを目的としている。
【０００８】
【課題を解決するための手段】
図１を参照して課題を解決するための手段を説明する。
図１において、システム１１は、店舗毎の仕分け情報などを管理するものである。
【０００９】
作業者端末２１は、商品の仕分け指示を行ったりするための端末である。
無線端末３１は、店舗ＩＤおよび端末ＩＤを書き込んで仕分け箱に取り付けるものであって、ここでは、画面３２、仕分け情報表示手段３３、仕分け完了手段３４、箱切換手段３５、積込完了手段３６、欠品入力手段３７、および修復手段３８などから構成されるものである。
【００１０】
画面３２は、仕分け対象の商品などを表示するものである。
仕分け情報表示手段３３は、店舗毎の仕分け対象の商品情報を画面３２上に表示するものである。
【００１１】
仕分け完了手段３４は、仕分け完了情報（仕分けされた商品情報など）を画面３２上に表示するものである。
箱切換手段３５は、仕分け箱に商品が入りきらなくなったときに、新たな箱に切り替えるものである。
【００１２】
積込完了手段３６は、仕分け箱を配送のための積み込みを完了した旨をシステムに通知するものである。
欠品入力手段３７は、仕分け対象の商品の一部あるいは全部が欠品したときにシステムにその旨を登録するものである。
【００１３】
修復手段３８は、無線端末３１のいずかが故障したときに、予備の無線端末３１に故障した無線端末３１の店舗ＩＤ，端末ＩＤを書き込むと共に店舗名を画面上に表示などさせるものである。
【００１４】
次に、動作を説明する。
仕分け箱に取り付けられた店舗ＩＤおよび端末ＩＤの書き込まれている無線端末３１が画面上に店舗名を表示し、当該無線端末３１を構成する仕分け情報表示手段３３が仕分け対象の商品指定に対応してシステムから送信された仕分けする商品情報を受信して画面上に商品情報を表示し、画面上に表示した商品情報をもとに商品が仕分け箱に投入されて該当ボタンがタッチされたときに商品仕分けされた旨をシステムに送信して仕分け済みと登録し、仕分け完了手段３４が仕分け完了指示に対応して仕分け情報を画面上に表示するようにしている。
【００１５】
この際、欠品入力手段３７が画面３２上に表示された商品情報の一部あるいは全部が欠品のときに欠品情報をシステムに送信して登録させるようにしている。また、箱切換手段３５が仕分け対象の商品が仕分け箱に入りきらないときに該当ボタンが押下されたときに、箱数増加をシステムに送信して登録させると共に、画面上に箱数を加算した後の箱数を表示するようにしている。
【００１６】
また、積込完了手段３６が無線端末３１の取り付けられた仕分け箱が配送のための積み込みを完了あるいは積み込み直前に無線端末３１の積み込み完了ボタンが押下されたときに、システムに積み込み完了を送信して登録させるようにしている。
【００１７】
また、修復手段３８が無線端末３１の予備機の修復ボタンが押下されたときに、全ての無線端末３１にポーリングして、あるいはシステムに依頼してポーリングさせて、応答が無い無線端末３１があったときに当該応答の無い無線端末３１の店舗ＩＤおよび端末ＩＤを予備の無線端末３１に書き込むと共に画面上に店舗名を表示するようにしている。
【００１８】
従って、無線端末に店舗ＩＤ、端末ＩＤを書き込んで仕分け箱に着脱可能に取り付け、作業端末から商品の仕分け指示すると無線端末の画面上に商品情報を表示し、これに従い商品の仕分けを行うと共に画面をタッチすることで仕分け済みをシステム登録することを繰り返し、商品仕分け完了指示すると無線端末の画面上に仕分け完了情報を表示し、更に、無線端末の画面上で配送のための積み込み完了指示するとその旨をシステム登録することにより、店舗毎の無線端末を仕分け箱に取り付けて商品仕分け情報を表示して簡易かつ確実に商品の仕分けを行って配送することが可能となる。
【００１９】
【発明の実施の形態】
次に、図１から図６を用いて本発明の実施の形態および動作を順次詳細に説明する。
【００２０】
図１は、本発明のシステム構成図を示す。
図１において、システム１１は、店舗毎の仕分け情報などを管理するサーバであって、ここでは、入力手段１２、指令手段１３、登録手段１４、および無線端末管理テーブル１５、仕分け指示データ１６などから構成されるものである。
【００２１】
入力手段１２は、店舗毎の仕分け商品情報を入力（店舗からの納品依頼をもとに当該店舗に配送する商品情報を生成）するものである。
指令手段１３は、仕分け指示データ１６に従い商品の仕分けなどを指示するものである。
【００２２】
登録手段１４は、仕分け指示データ１６をもとに商品の仕分けなどを指示したことに対応して、無線端末３１からの送信された情報（仕分け商品、欠品商品、積み込み完了などの情報）を登録（仕分け指示データ１６に登録）するものである。
【００２３】
無線端末管理テーブル１５は、無線端末３１と通信する情報を管理するテーブルであって、ここでは、後述する図５の（ｂ）に示すように、アドレス（通信に必要なアドレス、例えばＩＰアドレスなど）と当該無線端末３１の端末ＩＤとを対応づけて登録して管理するものである。
【００２４】
仕分け指示データ１６は、店舗毎の仕分けする商品情報、状態、作業者、箱数、積込完了などの情報を登録して管理するものである（図５の（ａ）参照）。
ＬＡＮ１７は、システム１１とアクセスポイント１８とを接続してデータの送受信を行うためのネットワークである。
【００２５】
アクセスポイント１８は、作業者端末２１、および複数の無線端末３１との間で無線で通信してＬＡＮ１７に接続するためのもの（中継機）である。
作業者端末２１は、商品の仕分け作業を行う作業者が保持する端末であって、ここでは、画面２２および選択手段２３などから構成されるものである。
【００２６】
画面２２は、商品一覧、仕分け対象の商品などを表示するものである。
選択手段２３は、画面２２上に表示した仕分け対象の商品一覧から、仕分けする商品を選択してシステム１１に通知して当該システム１１に仕分けする商品のある店舗の無線端末３１の画面３２上に仕分けする商品情報（商品名と個数と作業者名など）を表示させるものである。
【００２７】
無線端末３１は、店舗ＩＤおよび端末ＩＤを書き込んで画面上に店舗名を表示し、仕分け箱に取り付けるための着脱可能なものであって、ここでは、画面３２、仕分け情報表示手段３３、仕分け完了手段３４、箱切換手段３５、積込完了手段３６、欠品入力手段３７、および修復手段３８などから構成されるものである。
【００２８】
画面３２は、仕分け対象の商品などを表示するものであって、液晶などの画面である。
仕分け情報表示手段３３は、店舗毎の仕分け対象の商品情報を無線端末３１の画面３２上に表示するものである（図２参照）。
【００２９】
仕分け完了手段３４は、仕分け完了情報（仕分けされた商品情報など）を画面３２上に表示するものである（図２、図６参照）。
箱切換手段３５は、仕分け箱に商品が入りきらなくなったときに、新たな箱に切り替えるものである（図３参照）。
【００３０】
積込完了手段３６は、仕分け箱を配送のためにトラックに積み込みを完了した旨をシステムに通知するものである（図２参照）。
欠品入力手段３７は、仕分け対象の商品の一部あるいは全部が欠品したときにシステムにその旨を登録するものである（図２参照）。
【００３１】
修復手段３８は、無線端末３１のいずかが故障したときに、予備の無線端末３１に故障した無線端末３１の店舗ＩＤ，端末ＩＤを書き込むと共に店舗名を画面上に表示させるものである（図４参照）。
【００３２】
次に、図２のフローチャートの順番に従い、図１の構成の動作を詳細に説明する。
図２は、本発明の動作説明フローチャートを示す。ここで、システム（作業者）１１、作業者端末（作業者）２１、無線端末（仕分け箱に取り付けた）３１は、既述した図１のシステム１１、作業者端末２１、無線端末３１に対応するものである。
【００３３】
図２において、Ｓ１で、書き込みを行う。これは、無線端末３１に、仕分けしようとする店舗ＩＤおよび端末ＩＤを書き込む。
Ｓ２で、箱への取り付けを行う。これは、Ｓ１で店舗ＩＤ、端末ＩＤを書き込んだ無線端末３１を、仕分け箱に取り付ける（作業者が取り付けるあるいは自動機で取り付ける）。
【００３４】
Ｓ３で、店舗名Ｘを表示する。
Ｓ４で、店舗名Ｙを表示する。
以上のＳ１からＳ４により、店舗ＩＤ，端末ＩＤを無線端末３１に書き込んで仕分け箱に取り付け、当該取り付けた無線端末３１の画面３２上に店舗名を表示できたこととなる。尚、店舗ＩＤ、端末ＩＤを無線端末３１に書き込むと共に店舗名を当該無線端末３１の画面３２上に表示した後、仕分け箱に当該無線端末３１を取り付けるようにしてもよい。
【００３５】
Ｓ５で、商品選択する。これは、作業者端末２１の画面２２上に仕分け対象の商品一覧を表示し、Ａ商品を選択し、システム１１に通知する。ここでは、Ａ商品をこれから仕分けるために選択する。尚、複数商品を一度に選択してシステム１１に通知してもよい。
【００３６】
Ｓ６で、システム１１は指令を出す。これは、Ｓ５で通知を受けたシステム１１が後述する図５の（ａ）の仕分け指示データ１６を参照し、通知を受けた商品（ここでは、Ａ商品）を仕分ける対象の店舗の無線端末３１のアドレス、端末ＩＤに向けて当該商品情報（商品名、個数、作業者名）を送信して表示させる。
【００３７】
Ｓ７で、無線端末（１）３１は、表示する。これは、Ｓ６の指令を受信した無線端末（１）３１が当該受信した商品情報（Ａ商品、１０個、作業者１（仕分け作業者名１））を表示する。
【００３８】
Ｓ８で、無線端末（２）３１は表示する。これは、Ｓ７と同様に、Ｓ６の指令を受信した無線端末（２）３１が当該受信した商品情報（Ａ商品、２０個、作業者名１（仕分け作業者１））を表示する。
【００３９】
Ｓ９で、欠品情報を入力する。これは、Ｓ７で無線端末（１）３１の画面３２上に商品情報（Ａ商品、１０個）を当該店舗に仕分けすると指令されたが、９個しか残りがなくて１個不足する場合には、当該無線端末（１）３１の画面３２上から不足個数（ここでは１個）と不足ボタンを押下してシステム１１に通知する。
【００４０】
Ｓ１０で、システム１１は欠品情報を登録する。これは、Ｓ９で通知された欠品情報（ここでは、１個）を、例えば図５の（ａ）の仕分け指示データ中の▲１▼の”実績”の欄に示すように、９個（予定では１０個で、１個不足したので実績９個）と登録して記録する。
【００４１】
Ｓ１１で、仕分けする。
Ｓ１２で、箱に入れる。これらＳ１１、Ｓ１２は、作業者（あるいは自動仕分け機）がＳ７で表示されたＡ商品の個数のうち不足の１個を除いた９個を無線端末（１）３１の装着されている箱（仕分け箱）に入れる。
【００４２】
Ｓ１３で、画面をタッチする。これは、Ｓ１２で商品を箱に入れた後、無線端末（１）３１の画面の該当ボタンを押下して仕分けした旨をシステム１１に送信する。
【００４３】
Ｓ１４で、システム１１は登録する。これは、システム１１がＳ１３で送信されてきた無線端末（１）３１の装着されている箱に商品の仕分けが完了した旨を登録、例えば図５の（ａ）の仕分け指示データ１６の▲２▼の状態の欄に”完”（商品を仕分けを完了した旨を表す）を登録する。
【００４４】
Ｓ１５、Ｓ１６、Ｓ１７では、Ｓ１２、Ｓ１３、Ｓ１４と同様に、無線端末（２）３１の装着されている箱に商品を入れ、画面をタッチしたことに対応して仕分け指示データ１６の該当商品の状態の欄を”完”に登録する。
【００４５】
Ｓ２１で、以下同じように、無線端末（ｎ）３１の装着されている箱に商品を仕分け、画面をタッチして仕分け指示データ１６の該当商品の状態の欄を”完”に登録する。
【００４６】
Ｓ２２で、次の商品が有か判別する。これは、次に仕分けする商品が有るか判別する。ＹＥＳの場合には、Ｓ２３で全商品の仕分け終了し、Ｓ２４に進む。ＮＯの場合には、次の商品について、Ｓ５以降を繰り返す。
【００４７】
Ｓ２４で、完了指示する。これは、全商品を全ての無線端末３１の装着されている箱に入れて仕分けすることが完了したので、完了指示を全ての無線端末３１に送信する。
【００４８】
Ｓ２５、Ｓ２６で、Ｓ２４で完了指示の通知を受けた各無線端末３１の画面３２に仕分け完了画面を表示する。これは、各無線端末３１が装着されている箱に仕分けてして入れられた全商品、個数、作業者名を例えば後述する図６に示すように、表示する。
【００４９】
Ｓ２７で、内容明細を印刷する。これは、Ｓ２４で完了指示を各無線端末３１に送信したことに対応して、仕分けした内容明細を印刷する。
Ｓ２８で、Ｓ２７で印刷した内容明細を箱に貼る。これは、作業者（あるいは自動ラベル貼機）が印刷した内容明細（店舗名、ＩＤ，商品名と個数と作業者名のリスト）を箱（仕分け箱）に貼り、配送先と配送内容をわかるようにする。
【００５０】
Ｓ２９で、店舗向けトラックに積み込む。
Ｓ３０で、無線端末（１）３１の画面をタッチする。画面にタッチすると、箱のトラックへの積み込み完了をシステム１１に通知する。
【００５１】
Ｓ３１で、無線端末（１）３１を箱から取り外す。
Ｓ３２で、登録する。これは、システム１１がＳ３０の積込完了通知を受けて、図５の（ａ）の仕分け指示データ１６の該当商品（箱に仕分けて入れた全ての商品）の積込の欄に”完”（積込完了）を登録する。
【００５２】
Ｓ３３、Ｓ３４、Ｓ３５では、Ｓ３０、Ｓ３１、Ｓ３２と同様に、無線端末（２）３１を装着した箱をトラックに積み込むと当該箱に装着されている無線端末（２）３１の画面をタッチして積込完了をシステム１１に通知して登録すると共に、箱から無線端末（２）３１を取り外す。
【００５３】
以上のように、箱（仕分け箱）に店舗ＩＤ，端末ＩＤを書き込んだ無線端末３１を装着して当該無線端末３１に店舗名を表示し、仕分けする商品を指定すると各無線端末３１の画面３２上に仕分けする商品名と個数を表示し、これに見合った商品を箱に入れると共に画面３２をタッチしてシステム１１に商品の仕分け完了（仕分け指示データ１６の状態”完”）を登録し、欠品があるときはその旨を通知して登録（仕分け指示データ１６の実績欄に予定数から欠品数を引いた実績数を登録）し、全ての商品の仕分けを完了すると完了指示を通知して各無線端末３１の画面３２上に仕分けした商品名、個数、作業者のリストを表示すると共に内容明細を印刷してそれぞれの箱に貼り付ける。そして、無線端末３１の装着されている商品仕分けした箱をトラックに積み込んで各無線端末３１の画面３２上のボタン（積み込み完了ボタン６）にタッチするとシステム１１に登録（仕分け指示データ１６の該当商品の積込欄に”完”を登録）および無線端末３１を取り外すことにより、店舗毎の無線端末３１を仕分け箱に取り付けて商品仕分け情報を表示して簡易かつ確実に商品の仕分けを行って配送することが可能となる。
【００５４】
図３は、本発明の動作説明フローチャート（箱の付け替え）を示す。
図３において、Ｓ４１で、仕分けする。
Ｓ４２で、入りきらないか判別する。これらＳ４１、Ｓ４２では、箱に取り付けた無線端末３１の画面３２上に表示された商品、個数を当該箱に仕分けして入れようとしたが、一杯で入りきらないか判別する。ＹＥＳの場合には、Ｓ４３に進む。ＮＯの場合には、箱に仕分けした商品が入ったので、ここでは、終了する。
【００５５】
Ｓ４３で、ボタンを押下する。これは、Ｓ４２のＹＥＳで仕分けした商品を、箱が一杯で入れることができなかったので、無線端末３１の画面３２上の箱を付け替えるボタンを押下し、システム１１に箱数増加を通知する。
【００５６】
Ｓ４４で、システム１１は箱数を加算する。これは、システム１１が無線端末３１の箱切換手段３５から箱数増加の通知を受けたので箱数を増加（例えば図５の（ａ）の仕分け指示データ１６中の該当店舗に仕分けする商品の箱数の欄の”箱数”を＋１）して更新する。
【００５７】
Ｓ４５で、無線端末３１は箱数を表示する。例えば図６の仕分け完了画面上の右上に示すように、２箱と表示する。
Ｓ４６で、新しい箱に無線端末３１を付け替える。これにより、仕分け商品を入れた一杯の箱の上に新しい箱を重ねておき当該新しい箱に無線端末３１を付け替える。
【００５８】
Ｓ４７で、仕分けを続行する。
以上のように、無線端末３１の取り付けられた箱に仕分け商品を入れようとしたときに一杯で入らないときは当該無線端末３１の画面３２上の箱付け替えボタンを押下してシステム１１に箱数の加算を登録および無線端末３１の画面３２上に図６の画面の右上に示すように２箱と表示および一杯の箱の上に新しい箱を配置（あるいは横に一体として配置）して無線端末３１を新しい箱に付け替えを行い、仕分け処理を続行することにより、商品数が多くて箱が一杯になっても容易かつ迅速に必要なだけの箱を追加して仕分けを行うことが可能となる。
【００５９】
図４は、本発明の動作説明フローチャート（修復）を示す。
図４において、Ｓ５１で、予備機の修復ボタンを押下する。これは、図１の構成中の無線端末３１の予備機（店舗ＩＤの未書き込み）の修復ボタンを押下し、修復手段３８を起動し、以下に説明するＳ５２からＳ６０の処理を実行させる。
【００６０】
Ｓ５２で、システム１１は無線端末３１へのポーリングを行う。これは、Ｓ５１で修復ボタンを押下した予備機の無線端末３１の修復手段３８が直接にあるいはシステム１１に依頼し、全ての無線端末３１へのポーリングを行う。
【００６１】
Ｓ５３で、システム１１は応答なしの無線端末３１がありか判別する。これは、Ｓ５２で全ての無線端末３１にポーリングして応答なしの無線端末３１があるか判別（例えば後述する図５の（ｂ）の無線端末管理テーブル１５を参照し、応答の無い無線端末３１があるか）判別する。ＹＥＳの場合には、Ｓ５４に進む。ＮＯの場合には、全ての無線端末３１から応答があって動作状態であると判明したので、修復の必要がないので、終了する。
【００６２】
Ｓ５４で、システム１１は予備機の端末ＩＤ，アドレスの書き換えを行う。これは、予備機の無線端末３１の端末ＩＤ，アドレスを、Ｓ５３のＹＥＳで応答なしと判明した無線端末３１の端末ＩＤ，アドレスに書き換える。
【００６３】
Ｓ５５で、未仕分けか判別する。これは、Ｓ５４で端末ＩＤ，アドレスを書き換えた元の障害発生した無線端末３１で、商品の仕分けが未か判別する。ＹＥＳの場合には、Ｓ５６で店舗名を表示し、Ｓ６１で店舗名の仕分け箱の障害発生した無線端末３１と交換し、仕分け処理を続行する（既述した図２のＳ５以降を続行する）。一方、Ｓ５５のＮＯの場合には、Ｓ５７に進む。
【００６４】
Ｓ５７で、表示中か判別する。これは、Ｓ５４で端末ＩＤ，アドレスを書き換えた元の障害発生した無線端末３１で、商品の表示中か（仕分け商品を表示して商品仕分け完了前か）判別する。ＹＥＳの場合には、Ｓ５８で表示中の画面を表示（画面３２上に仕分け商品名と個数と作業者名を表示）し、Ｓ６１で店舗名の仕分け箱の障害発生した無線端末３１と交換し、仕分け処理を続行する（既述した図２のＳ９以降を続行する）。一方、Ｓ５７のＮＯの場合には、Ｓ５９に進む。
【００６５】
Ｓ５９で、仕分け完か判別する。これは、Ｓ５４で端末ＩＤ，アドレスを書き換えた元の障害発生した無線端末３１で、商品の仕分け完か（仕分け商品を表示して商品仕分け完了し、完了ボタンが押下されて完了登録されていたか）判別する。ＹＥＳの場合には、Ｓ６０で仕分け完了画面を表示し、Ｓ６１で店舗名の仕分け箱の障害発生した無線端末３１と交換し、仕分け処理を続行する（既述した図２のＳ２７以降を続行する）。一方、Ｓ５７のＮＯの場合には、仕分け完了し、トラックに積込前と判明したので、積み込まれて無線端末３１の画面がタッチ（トラックに積み込み完了ボタンがタッチ）されるのを待つ状態にし、Ｓ６１で店舗名の仕分け箱の障害発生した無線端末３１と交換し、仕分け処理を続行する（既述した図２のＳ２９以降を続行する）。
【００６６】
以上によって、予備機の無線端末３１の修復ボタンを押下するのみで、箱に取り付けた無線端末３１の全てをポーリングして応答のない無線端末３１の店舗ＩＤ，端末ＩＤを、当該予備機の無線端末３１に書き込んだ後、当該障害発生した無線端末３１の状態（未仕分け、仕分け商品を表示中、仕分け完了、積込み未のいずれかの状態）に応じた情報を画面３２上に表示した後、障害発生した無線端末３１と交換し、自動修復することが可能となる。
【００６７】
図５は、本発明のデータ／テーブル例を示す。
図５の（ａ）は、仕分け指示データの例を示す。仕分け指示データ１６は、ここでは、図示の下記の情報を対応づけて登録するものである。
【００６８】
・アドレス：
・端末ＩＤ：
・商品：
・予定数：
・実績数：
・店舗名：
・状態：
・作業者名：
・箱数：
・積込：
・その他：
ここで、アドレス、端末ＩＤは無線端末３１と通信するためのアドレス（ＩＰアドレスなど）、無線端末３１を特定する端末ＩＤである。商品は仕分けする商品名である。予定数は商品を店舗に仕分けする予定数である。実績数は商品を店舗に仕分けた実績の数（予定数から欠品数を減算した数）である。店舗名は商品を仕分ける対象の店舗名である。状態は無線端末３１の画面３２上に仕分け対象の商品を表示しているときに”表示中”、仕分け完了ボタンが押下されたときに”完”（仕分け完了を表す）を登録する欄である。作業者名は仕分けを行った作業者名である。箱数は店舗向けの商品を入れた箱の数である。積込は配送のためにトラックに箱を積み込み完了（完）か、積込前（未）かを登録するものである。
【００６９】
図５の（ｂ）は、無線端末管理テーブルの例を示す。無線端末管理テーブル１５は、通信用のアドレス（例えばＩＰアドレス）および当該無線端末３１を識別する端末ＩＤを対にして登録して管理するものである。
【００７０】
図６は、本発明の画面例を示す。図示の画面（仕分け完了画面）は、既述した図２のＳ２５、Ｓ２６で無線端末３１の画面３２上に表示する画面例であって、ここでは、図示の下記の情報を対応づけて表示したものである。
【００７１】
・店舗名：
・箱数：
・商品名ー個数ー作業者名
ここで、店舗名は仕分け対象の店舗名であって、無線端末３１に書き込まれた店舗ＩＤに対応する店舗名である。箱数は、当該店舗向けの仕分け商品を入れた箱の数である。商品名ー個数ー作業者名は、箱に入れた商品名、個数、作業者名の一覧である。
【００７２】
以上のように、箱に取り付けた無線端末３１の画面３２上に仕分けした詳細内容（店舗名、箱数、商品名、個数、作業者名）のリストを表示することにより、箱の数、箱に入れた商品名、個数、作業者を一目で認識できる。
【００７３】
（付記１）
店舗毎に商品の仕分けを行う仕分けプログラムにおいて、
コンピュータに、
仕分け箱に取り付けられた、店舗ＩＤおよび端末ＩＤの書き込まれた無線端末の画面上に店舗名を表示する店舗表示手順と、
仕分け対象の商品指定に対応してシステムから送信された仕分けする商品情報を前記無線端末が受信して画面上に商品情報を表示する商品情報表示手順と、
前記画面上に表示した商品情報をもとに商品が仕分け箱に投入されて該当ボタンがタッチされたときに商品仕分けされた旨を前記システムに送信して仕分け済みと登録させる登録手順と、
仕分け完了指示に対応して仕分け情報を画面上に表示する仕分け情報表示手順と
を実行させるための仕分けプログラム。
【００７４】
（付記２）
前記無線端末の画面上に表示された商品情報の一部あるいは全部が欠品のときに欠品情報を前記システムに送信して登録させる欠品情報登録手順を有する付記１記載の仕分けプログラム。
【００７５】
（付記３）
前記仕分け対象の商品が前記仕分け箱に入りきらないときに該当ボタンが押下されたときに、箱数増加を前記システムに送信して登録させると共に、画面上に箱数を加算した後の箱数を表示する箱数表示手順を有する付記１記載の仕分けプログラム。
【００７６】
（付記４）
前記無線端末の取り付けられた仕分け箱が配送のための積み込みを完了あるいは積み込み直前に当該無線端末の積み込み完了ボタンが押下されたときに、前記システムに積み込み完了を送信して登録させる積込完了登録手順を有する付記１記載の仕分けプログラム。
【００７７】
（付記５）
前記無線端末の予備機の修復ボタンが押下されたときに、全ての無線端末にポーリングして、あるいは前記システムに依頼してポーリングさせて、応答が無い無線端末があったときに当該応答の無い無線端末の店舗ＩＤおよび端末ＩＤを予備機の無線端末に書き込むと共に画面上に店舗名を表示する手順を有する付記１から付記４のいずれかに記載の仕分けプログラム。
【００７８】
（付記６）
店舗毎に商品の仕分けを行う仕分け方法において、
仕分け箱に取り付けられた、店舗ＩＤおよび端末ＩＤの書き込まれた無線端末の画面上に店舗名を表示する店舗表示手順と、
仕分け対象の商品指定に対応してシステムから送信された仕分けする商品情報を前記無線端末が受信して画面上に商品情報を表示する商品情報表示手順と、
前記画面上に表示した商品情報をもとに商品が仕分け箱に投入されて該当ボタンがタッチされたときに商品仕分けされた旨を前記システムに送信して仕分け済みと登録させる登録手順と、
仕分け完了指示に対応して仕分け情報を画面上に表示する仕分け情報表示手順と
を有する仕分け方法。
【００７９】
【発明の効果】
以上説明したように、本発明によれば、無線端末３１に店舗ＩＤ、端末ＩＤを書き込んで仕分け箱に着脱可能に取り付け、作業端末から商品の仕分け指示すると無線端末３１の画面３２上に商品情報を表示し、これに従い商品の仕分けを行うと共に画面３２をタッチすることで仕分け済みをシステム登録することを繰り返し、商品仕分け完了指示すると該当無線端末３１の画面３２上に仕分け完了情報を表示し、更に、無線端末３１の画面３２上で配送のための積み込み完了指示するとその旨をシステム登録する構成を採用しているため、店舗毎の無線端末３１を仕分け箱に取り付けて商品仕分け情報を表示して簡易かつ確実に商品の仕分けを行って配送することが可能となる。
【図面の簡単な説明】
【図１】本発明のシステム構成図である。
【図２】本発明の動作説明フローチャートである。
【図３】本発明の動作説明フローチャート（箱の付け替え）である。
【図４】本発明の動作説明フローチャート（修復）である。
【図５】本発明のデータ／テーブル例である。
【図６】本発明の画面例である。
【符号の説明】
１１：システム（サーバ）
１２：入力手段
１３：指定手段
１４：登録手段
１５：無線端末管理テーブル
１６：仕分け指示データ
１７：ＬＡＮ
１８：アクセスポイント
２１：作業者端末
２２：画面
２３：選択手段
３１：無線端末
３２：画面
３３：仕分け情報表示手段
３４：仕分け完了手段
３５：箱切換手段
３６：積込完了手段
３７：欠品入力手段
３８：修復手段
【図１】
2005022815.tif 000003
【図２】
2005022815.tif 000004
【図３】
2005022815.tif 000005
【図４】
2005022815.tif 000006
【図５】
2005022815.tif 000007
【図６】
2005022815.tif 000008